(57)【要約】【課題】刻々と変化する位置関連情報を随時蓄積し、きめ細かい情報を提供すること。【解決手段】各移動端末装置１０１−１〜１０１−Ｎにおいて、位置検出部１０２は、ＧＰＳ（Ｇｌｏｂａｌ  Ｐｏｓｉｔｉｏｎｉｎｇ  Ｓｙｓｔｅｍ）等の位置検出装置であり、現在位置を検出できる。情報提供部１０３は、提供可能な位置関連情報を取得すると、現在位置情報と共に位置関連情報をサーバ装置１０５に送信する。一方、情報要求部１０４は、情報要求が発生すると、位置関連情報の検索要求をサーバ装置１０５に対して行う。サーバ装置１０５では、現在位置情報と位置関連情報とを関連付け、関連付け情報を生成し、生成した関連付け情報と位置情報とを対応付けて蓄積する。また、位置関連情報をデータサーバ１１１に送出し、蓄積する。サーバ装置１０５は、位置関連情報を要求する移動端末装置に対して位置関連情報を提供する。【選択図】      図１
2004219156.tif 000002
【特許請求の範囲】
【請求項１】
位置関連情報を取得し、取得した前記位置関連情報と前記位置関連情報を取得した位置情報とをサーバ装置に通知する第１の移動端末装置と、
前記第１の移動端末装置から通知された前記位置関連情報を前記位置情報に関連付けて蓄積する記憶手段と、第２の移動端末装置が要求する位置関連情報に対応した位置情報に基づいて、当該位置情報に関連付けられた前記位置関連情報を検索し、検索した位置関連情報を前記第２の移動端末装置に提供する提供手段と、を有するサーバ装置と、
を具備することを特徴とする位置関連情報提供システム。
【請求項２】
前記第１の移動端末装置は、位置関連情報として画像情報をリアルタイムに前記サーバ装置に通知することを特徴とする請求項１に記載の位置関連情報提供システム。
【請求項３】
前記第２の移動端末装置は、音楽データを再生し音楽を演奏する音楽再生手段を具備し、前記サーバ装置は、位置関連情報として楽曲情報を蓄積することを特徴とする請求項１又は請求項２に記載の位置関連情報提供システム。
【請求項４】
前記サーバ装置は、位置情報と楽曲情報が対応付けられた地域を複数結ぶコースとして設定された情報を蓄積することを特徴とする請求項３に記載の位置関連情報提供システム。
【請求項５】
位置関連情報を取得し、前記位置関連情報を取得した位置情報及び自己の識別情報をサーバ装置に通知する第１の移動端末装置と、
前記第１の移動端末装置から通知された前記識別情報を前記位置情報に関連付けて蓄積する記憶手段と、第２の移動端末装置が要求する位置関連情報に対応した位置情報に基づいて、当該位置情報に関連付けられた識別情報を前記第２の移動端末装置に通知する通知手段と、を有するサーバ装置と、
前記サーバ装置から通知された識別情報に基づいて前記第１の移動端末装置から位置関連情報の提供を受ける第２の移動端末装置と、
を具備することを特徴とする位置関連情報提供システム。
【請求項６】
前記第１の移動端末装置は、取得した位置関連情報のカテゴリを示すインデックス情報を前記サーバ装置に通知し、前記サーバ装置は、前記第１の移動端末装置から一定範囲内に存在する移動端末装置のうち、前記第２の移動端末装置が検索を要求した位置関連情報に対して所定の基準を満たすインデックス情報を通知した第３の移動端末装置を検索し、検索した前記第３の移動端末装置の識別情報を前記第２の移動端末装置に通知することを特徴とする請求項５に記載の位置関連情報提供システム。
【請求項７】
前記第１の移動端末装置が前記サーバ装置を具備することを特徴とする請求項１から請求項６のいずれかに記載の位置関連情報提供システム。
【請求項８】
前記第２の移動端末装置が、位置関連情報が所望の商品である場合、購入を決済する決済手段を具備することを特徴とする請求項１から請求項７のいずれかに記載の位置関連情報提供システム。
【請求項９】
第１の移動端末装置が取得した位置関連情報と位置関連情報を取得した位置を示す位置情報とを関連付けて蓄積する記憶工程と、
第２の移動端末装置が要求する位置関連情報に対応した位置情報に基づいて、当該位置情報に関連付けられた前記位置関連情報を検索し、検索した位置関連情報を前記第２の移動端末装置に提供する提供工程と、
を具備することを特徴とする位置関連情報提供方法。
【請求項１０】
第１の移動端末装置が取得した位置関連情報と位置関連情報を取得した位置を示す位置情報とを関連付けて蓄積する記憶手段と、
第２の移動端末装置が要求する位置関連情報に対応した位置情報に基づいて、当該位置情報に関連付けられた前記位置関連情報を検索し、検索した位置関連情報を前記第２の移動端末装置に提供する提供手段と、
を具備することを特徴とするサーバ装置。
【発明の詳細な説明】
【０００１】
【発明の属する技術分野】
本発明は、移動端末装置の位置情報に基づいて周辺地域に固有の情報を提供する位置関連情報提供システム、位置関連情報提供方法、及び、サーバ装置に関するものである。
【０００２】
【従来の技術】
近年、移動端末装置は、携帯電話等の普及が進み、携帯電話等を利用したデータ通信も盛んに行われている。ユーザは、情報提供会社が提供する様々なコンテンツから所望の情報を検索し、あらゆる場所で情報を入手することができる。このような移動端末装置の利用形態を生かした情報として、移動先の地域に関する情報がある。例えば、現在地周辺の気象情報、地図情報、グルメ情報、店舗情報等がある（特許文献１参照）。
【０００３】
このように、現在位置情報に基づいた情報を提供するサービスとしては、Ｉエリアが知られている。
【０００４】
【特許文献１】
特開平９−８９１７号公報
【０００５】
【発明が解決しようとする課題】
しかしながら、上記従来の位置関連情報提供システムにおいては、情報提供会社が提供する情報しかユーザは利用することができないという制約がある。このため、移動端末装置は情報提供会社が情報を更新するまで最新の情報を入手することができない。
【０００６】
本発明はかかる点に鑑みてなされたものであり、刻々と変化する位置関連情報を随時蓄積し、きめ細かい情報を提供する位置関連情報提供システム、位置関連情報提供方法、及び、サーバ装置を提供することを目的とする。
【０００７】
【課題を解決するための手段】
かかる課題を解決するため、本発明の位置関連情報提供システムは、位置関連情報を取得し、取得した前記位置関連情報と前記位置関連情報を取得した位置を示す情報とをサーバ装置に通知する第１の移動端末装置と、前記第１の移動端末装置から通知された前記位置関連情報を前記位置情報に関連付けて蓄積する記憶手段と、第２の移動端末装置が要求する位置関連情報に対応した位置情報に基づいて、当該位置情報に関連付けられた前記位置関連情報を検索し、検索した位置関連情報を前記第２の移動端末装置に提供する提供手段と、を有するサーバ装置と、を具備する構成を採る。
【０００８】
この構成によれば、多数の移動端末装置の集合である第１の移動端末装置が取得した位置関連情報をサーバ装置に随時通知すれば、サーバ装置は、位置関連情報を実質的にリアルタイムで蓄積し、最新の情報をきめ細かく提供することができる。
【０００９】
本発明の位置関連情報提供システムは、上記構成において、前記第１の移動端末装置が、位置関連情報として画像情報をリアルタイムに前記サーバ装置に通知する構成を採る。
【００１０】
この構成によれば、移動端末装置群が画像情報をリアルタイムにサーバ装置に通知することにより、サーバ装置は、最新の画像情報を提供することができる。
【００１１】
本発明の位置関連情報提供システムは、上記構成において、前記第２の移動端末装置が、音楽データを再生し音楽を演奏する音楽再生手段を具備し、前記サーバ装置は、位置関連情報として楽曲情報を蓄積する構成を採る。
【００１２】
この構成によれば、サーバ装置が位置関連情報として楽曲情報を蓄積することにより、位置に関連付けられた最新の楽曲情報を蓄積することができ、楽曲情報の検索要求を行った移動端末装置は、位置に関連付けられた最新の音楽を演奏することができる。
【００１３】
本発明の位置関連情報提供システムは、上記構成において、前記サーバ装置が、位置情報と楽曲情報が対応付けられた地域を複数結ぶコースとして設定された情報を蓄積する構成を採る。
【００１４】
この構成によれば、例えば、移動端末装置の移動前にコースを設定しておくことにより、移動端末装置が移動中にコース上の所定の地域に関連付けられた音楽を演奏することができる。
【００１５】
本発明の位置関連情報提供システムは、位置関連情報を取得し、前記位置関連情報を取得した位置情報及び自己の識別情報をサーバ装置に通知する第１の移動端末装置と、前記第１の移動端末装置から通知された前記識別情報を前記位置情報に関連付けて蓄積する記憶手段と、第２の移動端末装置が要求する位置関連情報に対応した位置情報に基づいて、当該位置情報に関連付けられた識別情報を前記第２の移動端末装置に通知する通知手段と、を有するサーバ装置と、前記サーバ装置から通知された識別情報に基づいて前記第１の移動端末装置から位置関連情報の提供を受ける第２の移動端末装置と、を具備する構成を採る。
【００１６】
この構成によれば、位置関連情報を提供する移動端末装置から位置関連情報を要求する移動端末装置が情報提供を受けることにより、サーバ装置が位置関連情報を蓄積する必要がなくなり、サーバ装置のメモリ容量を削減することができる。
【００１７】
本発明の位置関連情報提供システムは、上記構成において、前記第１の移動端末装置が、取得した位置関連情報のカテゴリを示すインデックス情報を前記サーバ装置に通知し、前記サーバ装置が、前記第１の移動端末装置から一定範囲内に存在する移動端末装置のうち、前記第２の移動端末装置が検索を要求した位置関連情報に対して所定の基準を満たすインデックス情報を通知した第３の移動端末装置を検索し、検索した前記第３の移動端末装置の識別情報を前記第２の移動端末装置に通知する構成を採る。
【００１８】
この構成によれば、サーバ装置は検索要求が行われた位置関連情報に対して所定の基準を満たすインデックス情報を通知した移動端末装置群を検索することから、検索要求を行った移動端末装置は、所望の位置関連情報を短時間で入手することができる。
【００１９】
本発明の位置関連情報提供システムは、上記構成において、前記第１の移動端末装置が前記サーバ装置を具備する構成を採る。
【００２０】
この構成によれば、前記第１の移動端末装置のうち、前記サーバ装置を具備した移動端末装置から直接位置関連情報をリアルタイムに入手することができる。
【００２１】
本発明の位置関連情報提供システムは、上記構成において、前記第２の移動端末装置が、位置関連情報が所望の商品である場合、購入を決済する決済手段を具備する構成を採る。
【００２２】
この構成によれば、位置関連情報を要求した移動端末装置が購入決済を行うことにより、位置関連情報を検索した際に所望の商品を購入することができる。
【００２３】
本発明の位置関連情報提供方法は、第１の移動端末装置が取得した位置関連情報と位置関連情報を取得した位置を示す位置情報とを関連付けて蓄積する記憶工程と、第２の移動端末装置が要求する位置関連情報に対応した位置情報に基づいて、当該位置情報に関連付けられた前記位置関連情報を検索し、検索した位置関連情報を前記第２の移動端末装置に提供する提供工程と、を具備するようにした。
【００２４】
本発明のサーバ装置は、第１の移動端末装置が取得した位置関連情報と位置関連情報を取得した位置を示す位置情報とを関連付けて蓄積する記憶手段と、第２の移動端末装置が要求する位置関連情報に対応した位置情報に基づいて、当該位置情報に関連付けられた前記位置関連情報を検索し、検索した位置関連情報を前記第２の移動端末装置に提供する提供手段と、を具備する構成を採る。
【００２５】
これらの方法又は装置によれば、多数の移動端末装置の集合が取得した位置関連情報をサーバ装置に随時通知すれば、サーバ装置は、位置関連情報を実質的にリアルタイムで蓄積し、最新の情報をきめ細かく提供することができる。
【００２６】
【発明の実施の形態】
本発明の骨子は、移動端末装置群が位置に関する情報（以下、「位置関連情報」という）を、サーバ装置を介して位置関連情報を要求する移動端末装置に提供することである。これにより、刻々と変化する位置関連情報を実質的にリアルタイムで蓄積し、きめ細かい情報を提供することができる。
【００２７】
（実施の形態１）
図１は、本発明の実施の形態１に係る位置関連情報提供システムの構成を示すブロック図である。この図において、各移動端末装置１０１−１〜１０１−Ｎ（Ｎは任意の数）において、位置検出部１０２は、ＧＰＳ（Ｇｌｏｂａｌ  Ｐｏｓｉｔｉｏｎｉｎｇ  Ｓｙｓｔｅｍ）等の位置検出装置であり、現在位置を検出できるようになっている。また、情報提供部１０３は、提供可能な位置関連情報を取得すると、位置検出部１０２が検出した現在位置を示す情報（現在位置情報）と共に取得した位置関連情報をサーバ装置１０５に送信する。一方、情報要求部１０４は、位置関連情報の検索要求（以下、「情報要求」という）が発生すると、現在位置情報の送信と共に位置関連情報の検索要求をサーバ装置１０５に対して行う。また、サーバ装置１０５から位置関連情報を受信する。図１では、移動端末装置の内部構成については、移動端末装置１０１−１のみ示したが、他の移動端末装置の内部構成も同様である。
【００２８】
ここで、位置関連情報とは、タイムセールのプライス情報や在庫情報、レストランの日替わりメニュー情報、イベントの混雑状況、音楽情報等であり、位置と関連付けられる情報であれば何でもよい。
【００２９】
サーバ装置１０５は、関連付けサーバ１０６及びデータサーバ１１１を備え、関連付けサーバ１０６の受信部１０７において、移動端末装置１０１−１〜１０１−Ｎから送信された現在位置情報と位置関連情報とを受信する。また、現在位置情報と情報要求とを受信部１０７が受信する。受信した情報は、関連付け部１０８に出力される。
【００３０】
関連付け部１０８は、受信部１０７から出力された現在位置情報と位置関連情報とを関連付け、関連付け情報を生成し、生成した関連付け情報と位置情報とを対応付けて第１記憶部１０９に蓄積する。また、位置関連情報をデータサーバ１１１に送出する。一方、受信部１０７から現在位置情報と情報要求とが出力されると、現在位置情報に対応する情報を第１記憶部１０９及びデータサーバ１１１から読み出し、読み出した位置関連情報を送信部１１０に出力する。
【００３１】
第１記憶部１０９は、ハードディスク等の記憶装置であり、関連付け部１０８から出力された関連付け情報と位置情報とを蓄積する。
【００３２】
送信部１１０は、関連付け部１０８から出力された位置関連情報を情報要求を行った移動端末装置に送信する。
【００３３】
データサーバ１１１は、第２記憶部１１２を有し、関連付けサーバ１０８から出力された位置関連情報を蓄積し、適宜、関連付けサーバ１０８により位置関連情報が読み出される。
【００３４】
次に、上述した構成を有する位置関連情報提供システムの動作について図１を用いて説明する。
【００３５】
移動端末装置１０１−１が、例えば、地点ａにおいて、オペレータにより位置関連情報の入力が情報提供部１０３に対して行われると、位置検出部１０２が現在位置を検出し、地点ａを示す現在位置情報を生成する。入力された位置関連情報と生成した現在位置情報は、サーバ装置１０５に送信される。
【００３６】
サーバ装置１０５では、関連付けサーバ１０６の受信部１０７において、移動端末装置１０１−１から送信された位置関連情報と地点ａを示す現在位置情報とが受信される。受信部１０７で受信された位置関連情報と現在位置情報とは、関連付け部１０８において、関連付けられ、関連付け情報が生成される。また、地点ａを示す現在位置情報と生成された関連付け情報とは対応付けられて第１記憶部１０９に蓄積される。さらに、位置関連情報はデータサーバ１１１に送出され、第２記憶部１１２に蓄積される。ここでは、位置関連情報を提供する移動端末装置を一つ例に挙げて説明しているが、実際には多数の移動端末装置（移動端末装置群）によって位置関連情報が提供されているので、実質的に、随時、最新の情報が蓄積されている。
【００３７】
ここで、移動端末装置１０１−２が、例えば、地点ｂにおいて、オペレータにより位置関連情報の検索が要求されると、位置検出部１０２が現在位置を検出し、地点ｂを示す現在位置情報を生成する。移動端末装置１０１−２は、情報要求と生成した現在位置情報とをサーバ装置１０５に送信する。なお、移動端末装置１０１−２の内部構成は、図１に示した移動端末装置１０１−１の内部構成と同一であるとして、同じ符号を用いて説明する。
【００３８】
情報要求を受信したサーバ装置１０５は、関連付けサーバ１０６の関連付け部１０８において、移動端末装置１０１−２の現在位置を示す地点ｂに対応する関連付け情報を第１記憶部１０９から検索する。関連付け部１０８は検索した関連付け情報に関連する位置関連情報をデータサーバ１１１の第２記憶部１１２から読み出す。読み出した位置関連情報は、送信部１１０に出力され、情報要求を行った移動端末装置１０１−２に送信される。ここで、例えば、地点ａと地点ｂが近い場合には、それぞれの位置情報に対応付けられた関連付け情報は同一のものとなり、移動端末装置１０１−１が地点ａにおいて送信した位置関連情報は、地点ｂで情報要求を行った移動端末装置１０１−２に送信されることになる。
【００３９】
このように本発明の実施の形態によれば、位置関連情報を入手した位置を示す位置情報と位置関連情報とを移動端末装置群がサーバ装置に送信し、サーバ装置が移動端末装置群から送信された位置関連情報を位置情報と関連付けて蓄積することにより、刻々と変化する位置関連情報を実質的にリアルタイムで蓄積することができ、きめ細かい情報を提供することができる。
【００４０】
なお、移動端末装置が提供する位置関連情報は、画像情報（静止画像及び動画像を含む）であってもよく、移動端末装置群が、画像情報をリアルタイムに提供することにより、サーバ装置は、最新の画像情報を蓄積することができる。これにより、例えば、紅葉情報を検索した場合、最新の画像を入手することができるので、紅葉の色つき具合を確認することで、紅葉の観光を計画する際などには有用な情報を得ることができる。
【００４１】
また、本実施の形態では、移動端末装置が情報要求を行う際に、現在位置情報をサーバ装置に送出しているが、所望の位置における位置関連情報を要求するため、所望の位置情報を送出するようにしてもよい。
【００４２】
（実施の形態２）
図２は、本実施の形態２に係る位置関連情報提供システムの構成を示すブロック図である。ただし、図２が図１と共通する部分には図１と同一の符号を付し、その詳しい説明は省略する。
【００４３】
移動端末装置２０１−１〜２０１−Ｎ（Ｎは任意の数）は、音楽データ記憶部２０２及び音楽再生部２０３を備える。音楽データ記憶部２０２は、再生用の音楽データが記憶されている。音楽再生部２０３は、音楽再生装置であり、音楽データ記憶部２０２から音楽データを読み出し、読み出した音楽データを再生することで音楽を演奏する。また、移動端末装置２０１−１〜２０１−Ｎは、情報提供部１０３において提供可能な楽曲情報を取得すると、位置検出部１０２が現在位置を検出し、検出した現在位置情報と共に楽曲情報をサーバ装置１０５に送信する。一方、楽曲情報の検索要求が発生すると、現在位置情報の送信と共に楽曲情報の検索要求をサーバ装置１０５に対して行う。
【００４４】
サーバ装置１０５では、関連付けサーバ１０６が、移動端末装置から送信された現在位置情報と楽曲情報とを受信すると、現在位置情報と楽曲情報とを関連付けた関連付け情報を生成し、現在位置情報と関連付け情報を対応させて蓄積する。また、楽曲情報をデータサーバ１１１に蓄積する。一方、移動端末装置から現在位置情報と楽曲情報検索要求とを受信すると、関連付けサーバ１０６が受信した現在位置情報に対応する関連付け情報を検索し、検索した関連付け情報から現在位置に関連する楽曲情報をデータサーバ１１１から読み出す。読み出した楽曲情報は、楽曲情報検索要求を行った移動端末装置に送信される。
【００４５】
サーバ装置１０５内で管理するデータの対応関係を示したのが図３である。図３において、Ａ地域付近では曲名Ｘが、Ｂ地域付近では曲名Ｙが、Ｃ地域付近では曲名Ｚが、それぞれ対応している。すなわち、移動端末装置からＡ地域付近の現在位置情報と楽曲情報検索要求が行われると、サーバ装置１０５はＡ地域付近に対応する曲名Ｘを移動端末装置に送信する。
【００４６】
次に、上記構成を有する位置関連情報提供システムの動作について説明する。移動端末装置２０１−１が、例えば、地点ａにおいて、オペレータにより楽曲情報（曲名Ｘ）の入力が行われると、位置検出部１０２が現在位置を検出し、地点ａを示す現在位置情報を生成する。入力された楽曲情報と生成された現在位置情報は、サーバ装置１０５に送信される。
【００４７】
サーバ装置１０５では、関連付けサーバ１０６において、移動端末装置２０１−１から送信された楽曲情報と地点ａを示す現在位置情報とが受信され、楽曲情報と現在位置情報とが関連付けられ、関連付け情報が生成される。地点ａを示す現在位置情報と生成された関連付け情報は対応付けられて蓄積される。楽曲情報はデータサーバ１１１に送出され、蓄積される。ここでは、楽曲情報を提供する移動端末装置を一つ例に挙げて説明しているが、実際には多数の移動端末装置（移動端末装置群）によって楽曲情報が提供されているので、実質的には、随時、最新の情報が蓄積されている。
【００４８】
ここで、移動端末装置２０１−２が、例えば、地点ｂにおいて、オペレータにより楽曲情報の検索が要求されると、現在位置を検出し、地点ｂを示す現在位置情報を生成する。移動端末装置２０１−２は、楽曲情報検索要求と生成された現在位置情報とをサーバ装置１０５に送信する。
【００４９】
楽曲情報検索要求を受信したサーバ装置１０５は、関連付けサーバ１０６において、移動端末装置２０１−２の現在位置を示す地点ｂに対応する関連付け情報を検索する。関連付けサーバ１０６は検索した関連付け情報に関連する楽曲情報をデータサーバ１１１から読み出す。読み出した楽曲情報は、楽曲情報検索要求を行った移動端末装置２０１−２に送信される。ここで、例えば、地点ａと地点ｂが近い場合（例えば、図３に示したＡ地域付近に含まれる場合）には、それぞれの位置情報に対応付けられた関連付け情報は同一のものとなり、移動端末装置２０１−１が地点ａにおいて送信した楽曲情報（曲名Ｘ）は、地点ｂで楽曲情報検索要求を行った移動端末装置２０１−２に送信されることになる。
【００５０】
移動端末装置２０１−２は、サーバ装置１０５から送信された楽曲情報を受信し、音楽再生部２０３が受信した楽曲情報に該当する音楽データを音楽データ記憶部２０２から読み出し、読み出した音楽データを再生することにより、音楽を演奏する。
【００５１】
なお、本実施の形態では、楽曲情報を提供する移動端末装置を１つ例に挙げて説明したが、実際には多数の移動端末装置によって楽曲情報が提供されるので、例えば、サーバ装置は、Ａ地域付近に関連する楽曲情報として最も多く移動端末装置から提供された楽曲情報を提供するようにしてもよい。また、Ａ地域付近に関連する楽曲情報として移動端末装置から提供された楽曲情報のうち、上位何曲かを移動端末装置に提供するようにし、移動端末装置において所望の音楽を演奏するようにしてもよい。
【００５２】
このように本実施の形態によれば、サーバ装置が位置関連情報として楽曲情報を蓄積することにより、位置に関連付けられた最新の楽曲情報を蓄積することができ、楽曲情報の検索要求を行った移動端末装置は、位置に関連付けられた最新の音楽を演奏することができる。
【００５３】
なお、音楽データ記憶部は、移動端末装置内になくてもよく、周辺機器であってもよい。要は、移動端末装置内の音楽再生部が音楽データをロードできればよい。
【００５４】
また、本実施の形態では、移動端末装置がオペレータにより音楽情報の検索要求が行われた場合、現在位置情報の送信と音楽情報の検索要求がサーバ装置に対して行われたが、移動端末装置の現在位置をサーバ装置が常に監視し、関連付け情報に対応する位置に移動してきた場合、自動的に関連付け情報に関連する音楽情報を移動端末装置に提供するようにしてもよい。
【００５５】
（実施の形態３）
この実施の形態では、実施の形態２の移動端末装置が無線通信により基地局装置から音楽データをダウンロードする場合について説明する。
【００５６】
図４は、本発明の実施の形態３に係る移動端末装置の構成を示すブロック図である。この図において、移動端末装置４０１は、楽曲情報検索要求後、図示せぬサーバ装置から楽曲情報を受信し、受信した楽曲に該当する音楽データを基地局装置４０４からダウンロードする。
【００５７】
移動端末装置４０１内では、音楽データ受信部４０２が基地局装置４０４からダウンロードした音楽データを受信し、バッファ４０３に出力する。バッファ４０３は、音楽データ受信部４０２から出力された音楽データを一時記憶し、記憶した音楽データが音楽再生部２０３に読み出される。
【００５８】
このように本発明の実施の形態によれば、移動端末装置はサーバ装置から受信した楽曲情報に基づいて音楽データを基地局装置から無線通信によりダウンロードするので、大量の音楽データを移動端末装置と共に移動させる必要がなくなり、メモリの削減や省スペース化を図ることができる。
【００５９】
（実施の形態４）
この実施の形態では、いくつかの地域を結ぶコースが予め設定されており、各地域に対応する楽曲情報が蓄積されているサーバ装置について説明する。
【００６０】
本実施の形態に係る位置関連情報提供システムは図２に示す構成と同一なので、図２を代用して説明する。サーバ装置１０５では、関連付けサーバ１０６において、位置情報と楽曲情報とをいくつかの地域を結ぶコースとして関連付けられ、楽曲情報がデータサーバ１１１に蓄積される。
【００６１】
図５は、本発明の実施の形態４に係るサーバ装置が格納しているデータの対応関係を示す図である。コース１はＡ地域付近、Ｂ地域付近、Ｃ地域付近を結ぶコースとして設定されており、Ａ地域付近には曲名Ｒの楽曲情報が対応して蓄積されている。また、Ｂ地域付近には曲名Ｓの楽曲情報が、Ｃ地域付近には曲名Ｔの楽曲情報がそれぞれ対応して蓄積されている。同様に、コース２は、Ｄ〜Ｆ地域付近を結ぶコースとして設定されており、曲名Ｕ〜Ｗがそれぞれ対応している。さらに、コース３は、Ｇ〜Ｉ地域付近を結ぶコースとして設定されており、曲名Ｘ〜Ｚがそれぞれ対応している。なお、曲名Ｒ〜Ｚは、移動端末装置によって随時蓄積されるものである。
【００６２】
移動端末装置２０１−１がコース１を設定すると、移動端末装置２０１−１がコース１に沿ってＡ地域〜Ｃ地域を移動する際に、それぞれの地域に関連付けられた曲名をサーバ装置より入手し、入手した曲名に該当する音楽を演奏する。これにより、例えば、ドライブ前にドライブコースに相当するコースを予め設定しておけば、ドライブ中に該当地域にさしかかると関連付けられた音楽を演奏することができる。
【００６３】
なお、移動端末装置が再生する音楽データは、移動端末装置と共に移動する記憶装置に格納された音楽データでもよいし、移動端末装置が無線通信によって基地局装置からダウンロードした音楽データでもよい。
【００６４】
このように本実施の形態によれば、サーバ装置が位置情報と楽曲情報とが対応付けられた地域を複数結ぶコースとして関連付けることにより、移動端末装置の移動前にコースを設定しておけば、移動端末装置が移動中にコース上の所定の地域に関連付けられた音楽を演奏することができる。
【００６５】
（実施の形態５）
図６は、本発明の実施の形態５に係る位置関連情報提供システムの構成を示すブロック図である。ただし、図６が図１と共通する部分には図１と同一の符号を付し、その詳しい説明は省略する。
【００６６】
移動端末装置６０１は、オペレータにより位置関連情報が入力されると、位置検出部６０２が現在位置を検出する。また、識別情報生成部６０３は、移動端末装置６０１を他の移動端末装置と識別するための情報を生成する。検出された現在位置を示す情報と生成された識別情報は、サーバ装置１０５に送信される。情報提供部６０４は、取得した位置関連情報を他の情報要求を行っている移動端末装置に提供する。
【００６７】
移動端末装置６０５は、位置関連情報の要求が発生すると、情報要求部６０６が位置関連情報の要求をサーバ装置１０５に対して行い、サーバ装置１０５から応答を受ける。サーバ装置１０５からの応答に従って、位置関連情報の提供を行う移動端末装置に情報の提供要求を行い、情報提供を受ける。
【００６８】
位置検出部６０７は、現在位置を検出し、情報要求部６０６がサーバ装置１０２に情報要求を行うと共に、検出した現在位置の情報をサーバ装置１０５に送信する。
【００６９】
上記構成を有する位置関連情報提供システムの動作について説明する。移動端末装置６０１において、位置関連情報を取得すると、位置検出部６０２で検出された現在位置情報と識別情報生成部６０３で生成した識別情報とをサーバ装置１０５に送信する。サーバ装置１０５の内部構成は図１と同一なので、以下、図１を代用して説明する。
【００７０】
サーバ装置１０５では、関連付けサーバ１０６において受信した移動端末装置６０１からの現在位置情報と識別情報とを関連付け、関連付け情報を生成する。現在位置情報と関連付け情報は、関連付けサーバ１０６が蓄積し、識別情報はデータサーバ１１１に蓄積する。すなわち、データサーバ１１１は、データ量の少ない識別情報を格納するので位置関連情報を格納する場合に比べ、メモリ容量が小さくて済む。
【００７１】
ここで、移動端末装置６０５において、情報要求部６０６が位置関連情報の要求をサーバ装置１０５に行うと共に、位置検出部６０７が検出した現在位置情報をサーバ装置１０５に送信する。
【００７２】
サーバ装置１０５は、移動端末装置６０５から情報要求と現在位置情報を受信すると、現在位置情報に対応する関連付け情報を検索し、検索された関連付け情報に関連する識別情報を読み出す。読み出された識別情報（ここでは、読み出された識別情報が移動端末装置６０１を指すものとする）は、移動端末装置６０５の情報要求部６０６に送信される。
【００７３】
情報要求部６０６は、識別情報の示す移動端末装置６０１に情報要求を行う。情報要求を受けた移動端末装置６０１内の情報提供部６０４は、移動端末装置６０５の情報要求部６０６に対して位置関連情報の提供を行う。
【００７４】
このように本実施の形態によれば、位置関連情報を提供する移動端末装置から位置関連情報を要求する移動端末装置が情報提供を受けることにより、サーバ装置が位置関連情報を蓄積する必要がなくなり、メモリ容量を削減することができる。
【００７５】
（実施の形態６）
図７は、本発明の実施の形態６に係る位置関連情報提供システムの構成を示すブロック図である。ただし、図７が図６と共通する部分については、図６と同一の符号を付し、その詳しい説明は省略する。図７が図６と異なる点は、情報提供部６０４を情報提供部７０１に変更した点である。
【００７６】
情報提供部７０１は、位置関連情報を取得すると、位置関連情報がいずれのカテゴリに分類されるかを示すインデックス情報としてサーバ装置１０５に送信する。
【００７７】
サーバ装置１０５は、位置関連情報を取得した移動端末装置６０１からインデックス情報、現在位置情報及び識別情報を受信し、これらの情報を管理及び蓄積する。また、位置関連情報を要求する移動端末装置６０５から現在位置情報が送信されると共に情報要求を受けると、現在位置情報と要求された情報のカテゴリとに基づいて、該当する情報を有する移動端末装置を検索し、検索された移動端末装置の識別情報を移動端末装置６０５に送信する。
【００７８】
次に、上記構成を有する位置関連情報提供システムの動作について説明する。サーバ装置１０５は、現在位置情報及び識別情報に加え、位置関連情報のカテゴリを示すインデックス情報を管理及び格納している。
【００７９】
ここで、サーバ装置１０５において、移動端末装置６０５から現在位置情報が送信される共に要求する情報のカテゴリが指定されると、現在位置に関連するインデックス情報のうち、指定されたカテゴリに対して所定の条件を満たすインデックス情報を検索する。検索されたインデックス情報を有する移動端末装置の識別情報を読み出し、移動端末装置６０５に通知する。
【００８０】
移動端末装置６０５は、サーバ装置から通知された識別情報の示す移動端末装置６０１の情報要求部７０１に対して情報要求を行い、位置関連情報の提供を受ける。このように、移動端末装置が要求する情報を所定の条件で絞って検索し、さらに、インデックス情報というデータ量の少ない情報を検索することにより、移動端末装置が所望の情報を入手するまでの時間を短縮することができる。
【００８１】
このように本実施の形態によれば、提供される位置関連情報と要求される位置関連情報とが所定の基準以上で一致する場合、位置関連情報を要求する移動端末装置が情報提供を受けることにより、サーバ装置が位置関連情報を格納する必要がなくなり、メモリ容量を削減することができると共に、所望の位置関連情報を短時間で入手することができる。
【００８２】
（実施の形態７）
この実施の形態では、位置関連情報が商品である場合、位置関連情報を要求した移動端末装置が購入決済を行う場合について説明する。
【００８３】
本実施の形態における位置関連情報提供システムでは、移動端末装置が商品を購入決済する機能を備えている。
【００８４】
例えば、ＣＤを所望する場合、移動端末装置から最寄りのＣＤショップの在庫情報を位置関連情報としてサーバ装置に要求する。最寄りのＣＤショップに所望のＣＤの在庫があれば、移動端末装置を用いて購入決済を行う。これにより、現金等を携帯せずに商品を購入することができ、販売店での支払いを行わないで済む。
【００８５】
このように本実施の形態によれば、位置関連情報が商品である場合、位置関連情報を要求した移動端末装置が購入決済を行うことにより、位置関連情報を検索した時点で所望の商品を購入することができる。
【００８６】
なお、上述した各実施の形態では、現在位置は各移動端末装置において検出されたが、本発明はこれに限らず、最寄りの基地局装置の位置情報をサーバ装置に通知してもよい。
【００８７】
また、上述した各実施の形態では、移動端末装置とサーバ装置とを分離した場合について説明したが、移動端末装置内にサーバ装置を具備するようにしてもよい。これにより、移動端末装置群は、サーバ装置を具備した移動端末装置にアクセスすることにより、位置関連情報の提供をリアルタイムに入手することができる。
【００８８】
【発明の効果】
以上説明したように、本発明によれば、移動端末装置群が位置に関する情報を、サーバ装置を介して位置関連情報を要求する移動端末装置に提供することにより、刻々と変化する位置関連情報を実質的にリアルタイムで蓄積し、きめ細かい情報を提供することができる。
【図面の簡単な説明】
【図１】本発明の実施の形態１に係る位置関連情報提供システムの構成を示すブロック図
【図２】本発明の実施の形態２に係る位置関連情報提供システムの構成を示すブロック図
【図３】本発明の実施の形態２に係る位置関連情報提供システムにおけるサーバ装置が格納しているデータの対応関係を示す図
【図４】本発明の実施の形態３に係る移動端末装置の構成を示すブロック図
【図５】本発明の実施の形態４に係る位置関連情報提供システムにおけるサーバ装置が格納しているデータの対応関係を示す図
【図６】本発明の実施の形態５に係る位置関連情報提供システムの構成を示すブロック図
【図７】本発明の実施の形態６に係る位置関連情報提供システムの構成を示すブロック図
【符号の説明】
１０１−１〜１０１−Ｎ、２０１−１〜２０１−Ｎ、４０１、６０１、６０５移動端末装置
１０２、６０２、６０７  位置検出部
１０３、６０４、７０１  情報提供部
１０４、６０６  情報要求部
１０５  サーバ装置
１０６  関連付けサーバ
１０７  受信部
１０８  関連付け部
１０９  第１記憶部
１１０  送信部
１１１  データサーバ
１１２  第２記憶部
２０２  音楽データ記憶部
２０３  音楽再生部
４０２  音楽データ受信部
４０３  バッファ
４０４  基地局装置
６０３  識別情報生成部
【図１】
2004219156.tif 000003
【図２】
2004219156.tif 000004
【図３】
2004219156.tif 000005
【図４】
2004219156.tif 000006
【図５】
2004219156.tif 000007
【図６】
2004219156.tif 000008
【図７】
2004219156.tif 000009